(57)【要約】【課題】袋体の開封など物品の切り裂きを容易にする切り裂き補助帯自体に高い意匠性を付与するとともに、販売のための宣伝広告機能をもたせる。【解決手段】物品の切り裂きラインに沿って、所定の字数の集合体として特定の観念を有する文章あるいは単語が、それぞれ弱め線により形成されている。これにより切り裂き補助体それ自体として十分な意匠性を発揮し注目されやすく、また特定のキャッチフレーズや社名の如き文章や単語を施すことにより購買者などの注意を喚起して宣伝広告機能を持たせることができ、商品の販売促進効果を高めることができる。【選択図】図１
2007308188.tif 000002
【特許請求の範囲】
【請求項１】
物品の切り裂きラインに沿って、所定の字数の集合体として特定の観念を有する文章あるいは単語が、それぞれ弱め線により形成されていることを特徴とする切り裂き補助帯。
【請求項２】
弱め線が鎖線状であるところの請求項１に記載の切り裂き補助帯。
【請求項３】
弱め線により形成された文章あるいは単語が物品の切り裂きラインに沿って複数回繰り返し形成されているところの請求項１又は請求項２に記載の切り裂き補助帯。
【請求項４】
弱め線により形成された文章あるいは単語が物品の切り裂きラインに沿って複数列並行して形成されているところの請求項１〜３の何れか１に記載の切り裂き補助帯。
【請求項５】
弱め線により形成された文章あるいは単語が物品または物品の内容物と観念的に共通するものであるところの請求項１〜４の何れか１に記載の切り裂き補助帯。
【発明の詳細な説明】
【技術分野】
【０００１】
本発明は、紙やプラスチック材などを用いて包装袋や函体などの包装材の開封、あるいは映画のチケットなど紙片の半券の切り裂きを容易にするための補助帯に関し、開封を容易にするだけでなく、とくに切り裂き補助帯自体に高い意匠性を付与し、また所定の字数の集合体として特定の観念を想起させることによって販売のための宣伝広告機能をもたせることを目的とする。
【背景技術】
【０００２】
紙袋や函体などにおける開封を容易にするための手段としては、これまでにたとえば開封予定部分に鎖線状のミシン目を入れるようにしたものや、あるいは鎖線状のミシン目に代えてＹ字状あるいはハ字状の変形ミシン目状の切り目を直線状に施すようにしたものが知られている（特許文献１参照）。
【特許文献１】実開平４−８９７６０号公報
【発明の開示】
【発明が解決しようとする課題】
【０００３】
しかしながら、上記した汎用の切り目を施したものは、専ら袋体の開封切断用の目的で施されるものである結果、それ自体は無機質な存在であり意匠性を害することが多い。また密封された袋などに対する使用態様如何によっては切り目の僅かな隙間の存在により気密性が保たれずにバリヤー性の面で問題となることもある。
【課題を解決するための手段】
【０００４】
そこで本発明にあっては、開封や切り裂きを容易にするだけでなく、とくに切り裂き補助帯自体に高い意匠性を付与し、また所定の字数の集合体として特定の観念を想起させることによって販売のための宣伝広告機能をもたせるようにしたものであって、具体的には物品の切り裂きラインに沿って、所定の字数の集合体として特定の観念を有する文章あるいは単語が、それぞれ弱め線により形成されていることを特徴とする切り裂き補助帯に関する。
【発明の効果】
【０００５】
本発明は上記の通り、切り裂き補助帯として、所定の字数の集合体として特定の観念を有する文章あるいは単語が弱め線により切り裂きラインに沿って形成されているために、切り裂き補助体それ自体として十分な意匠性を発揮し注目されやすく、また特定のキャッチフレーズや社名を施すなどにより購買者などの注意を喚起して宣伝広告機能を持たせることができ、商品の販売促進効果を高めることができる。さらに、印刷や印字を切り裂き補助帯上やその周囲部に施すことで、さらなる宣伝広告機能を発揮させることができる。
【０００６】
さらに特定の観念を有する文章あるいは単語が包装材など物品の切り裂ラインに沿って複数列並行して配設されている場合においては並行する片側の文章あるいは単語部分でのカットが予期しない方向にそれた場合にも、もう片方の並行する文章あるいは単語部分においてこれを補正することができるために切り裂きラインに沿った開封を、より確実に実現することが可能になる。
【発明を実施するための最良の形態】
【０００７】
以下において本発明の具体的な内容を図の実施例をもとに説明すると、図１において１はシート１ａを折り返して四辺を閉塞することにより袋状に形成した密封包装体をあらわしており、上端辺寄りの位置を開口部２としてある。さらに開口部２には上端辺に平行な切り裂きラインＯＬに沿って切り裂き補助帯３が形成されている。なお同図において４は切り込みノッチをあらわしている。
【０００８】
なお、ここで用いられるシート１ａについては、各種の飲食材料や薬剤類、歯磨、化粧料などをはじめとし、種々の用途に用いられる袋状の包装体として適するものであれば紙や樹脂シート、あるいは樹脂等のフィルムを重合させたラミネートシートなどのすべての材料が含まれる。
【０００９】
さらに切り裂き補助帯３は、包装材の切り裂きラインＯＬに沿って、弱め線Ｃにより形成されたところの、所定の字数の集合体として特定の観念を有する文章（「まっすぐきれる」）３ａにより形成されており、この文章３ａが包装材の切り裂きラインＯＬに沿って複数回繰り返すことにより形成されている。
【００１０】
なおこの場合に用いられる所定の字数の集合体として特定の観念を有する文章として、このほかに例えば「お肌にやさしい」「甘い香り」「おでかけまえに」「開封後はかならず冷蔵庫に入れてください」「みんなのきょうどういんさつ」など種々の文章を用いることができる。またこの場合に、弱め線Ｃにより形成された文章あるいは単語が、例えば「おかし」「おやつ」等のように包装されている内容物との関係で物品または物品の内容物と観念的に共通するものである場合には、より一層興味をそそることになり、宣伝広告効果をさらに高めることができる。
【００１１】
またこの場合、所定の字数の集合体として特定の観念を有する単語、たとえば図３（Ａ）にあらわした「さかな」や同図（Ｂ）にあらわした「ステップ」、その他「ＫＹＯＤＯ」「ＴＯＫＹＯ」「ＫＰ」「ＣＵＴ」「ふじ」「さくら」などの単数又は複数の繰り返し形成により施すことができる。なお上記した文章３ａや単語３ｂは、すべてシート１ａの表面から裏面方向あるいは裏面から表面方向に向けて切り込まれ、または打ち抜かれた弱め線Ｃにより形成されるものとし、また打ち抜きによりシート１ａに保持されなくなる部分については弱め線Ｃとしてハーフカットラインあるいは鎖線状の貫通したミシン目により形成するようにしてもよい。
【００１２】
さらに、上記した弱め線Ｃにより形成される文章３ａや単語３ｂを、物品である包装材の切り裂きラインに沿って複数列並行して形成することにより、切り裂きに際して並行する一方の文章あるいは単語部分でのカットが予期しない方向にそれた場合にも、他方の並行する文章あるいは単語部分においてこれを補正することができるために切り裂きラインに沿った切り裂きを、より確実に実現することが可能になる。
【００１３】
また図２は図１の１個の文章３ａ部分を拡大してあらわしたものであり、この場合には所定の字数（この場合７文字）の集合体として特定の観念を有する文章（「まっすぐきれる」）の単独表示を切り裂きラインＯＬの切り裂き方向に向けた一列だけで構成したものであり、しかもこの場合には７文字のうち促音の「っ」を除いた残り６文字のすべてについて、切り裂きラインＯＬに沿った部分に凹部５ａ〜５ｆができるように文字を変形させた状態とし、これによって各文字の切り裂き開始側中央に凹部（５ａ〜５ｆ）が形成されて切り込みノッチ４から該凹部５ａ〜５ｆにより切り裂きラインＯＬに沿って順次切り込むことにより切り裂きがより一層容易となるようにしたものである。
【００１４】
なお、上記の各実施例においては、切り裂き補助帯を切り裂きラインの全体にわたって施す場合について説明したが、少なくとも一部について施すようにしてもよい。また本発明の切り裂き補助帯３を形成する対象としてシート状のものについて説明をしたが、このほかにもカートン状のものなど包装材料ならびに各種のチケット類をはじめとし、各種物品全般における切り離しが必要な箇所の切り裂きにも適用が可能である。
【００１５】
さらに上記した各実施例においては、物品に施す切り裂き補助帯が直線状である場合について説明したが、直線状に限らず曲線状であってもよく、あるいは直線と曲線との結合であってもよい。また弱め線については物品の切り裂きラインを他の部分よりも脆弱にして切り裂きやすくするものであればよく、この場合貫通した切れ目やハーフカット等、全てのものが適用可能である。
【図面の簡単な説明】
【００１６】
【図１】本発明の一実施例である切り裂き補助帯を施した密封袋体の一例をあらわした袋体の正面図。
【図２】図１における１個の文章部分を拡大してあらわした部分拡大図。
【図３】切り裂き補助帯の別の実施例をあらわした要部拡大図。
【符号の説明】
【００１７】
１          密封包装体
１ａ        シート
２          開口部
３          切り裂き補助帯
３ａ        文章
３ｂ        単語
４          切り込みノッチ
５          凹部
ＯＬ        切り裂きライン
Ｃ          弱め線
【図１】
2007308188.tif 000003
【図２】
2007308188.tif 000004
【図３】
2007308188.tif 000005